(57)【要約】【課題】電源導体パターンの第１側端と第２側端との交点に電流が集中するのを緩和する。【解決手段】電源導体パターン２０１は、電源回路３００からＬＳＩ４００に向かう電気経路Ｌに沿って直線状に延びる側端２１１を有する。また、電源導体パターン２０１は電源回路３００とＬＳＩ４００の途中に屈曲部Ｒａを有しており、屈曲部Ｒａの内側Ｐに相当する側端は、屈曲部Ｒａからみて電源回路３００側の第１側端２１１と、ＬＳＩ４００側の第２側端２１２とからなっている。電源導体パターン２０１には、第１側端２１１の側に切欠２３０が形成されている。コンデンサ５００の電極端子５０１は、切欠２３０を跨いで電源導体パターン２０１に接合されている。【選択図】図１
2015023133.tif 000002
【特許請求の範囲】
【請求項１】
電力供給部と、
前記電力供給部から電力が供給される被電力供給部と、
表面に前記電力供給部及び前記被電力供給部が実装され、前記電力供給部と前記被電力供給部とを電気的に接続する電源導体パターンを有するプリント配線板と、
前記表面に実装され、前記電源導体パターンに一方の電極端子が電気的に接続された第１電気素子と、を備え、
前記電源導体パターンは、前記電力供給部と前記被電力供給部の途中に屈曲部を有しており、
前記電源導体パターンの前記屈曲部の内側に相当する側端は、前記屈曲部からみて前記電力供給部側の第１側端と、前記被電力供給部側の第２側端とからなっており、前記第１側端には切欠が形成されており、
前記第１電気素子の一方の電極端子は、前記切欠を跨いで前記電源導体パターンに接合されていることを特徴とするプリント回路板。
【請求項２】
前記第１電気素子の他方の電極端子が、グラウンドに電気的に接続されていることを特徴とする請求項１に記載のプリント回路板。
【請求項３】
前記第１電気素子の一方の電極端子は、前記電力供給部から前記被電力供給部に向かう電気経路に沿う方向の単位長さ当たりの電気抵抗値が、前記電源導体パターンよりも高いことを特徴とする請求項１又は２に記載のプリント回路板。
【請求項４】
前記電源導体パターンには、前記第１側端に沿う方向に対して直交する方向で前記切欠に対向し、電気経路に沿って延びる第１スリットが形成されていることを特徴とする請求項１乃至３のいずれか１項に記載のプリント回路板。
【請求項５】
前記第１スリットは、前記切欠と連結していることを特徴とする請求項４に記載のプリント回路板。
【請求項６】
前記第１スリットは、前記第２側端の延長線よりも前記被電力供給部側に突出する第１突出部分を有することを特徴とする請求項４又は５に記載のプリント回路板。
【請求項７】
前記電源導体パターンは、前記第１電気素子の電極端子が接合され、前記切欠の前記第１側端に沿う方向の両側に配置された一対の第１接合パッドを有しており、
前記第１突出部分は、前記第１接合パッドにおける前記第１側端に沿う方向に対して直交する方向の幅よりも短く形成されていることを特徴とする請求項６に記載のプリント回路板。
【請求項８】
前記第１スリットは、前記第１突出部分における前記電気経路の下流端から延び、前記第２側端に近づく方向に折曲する第１折曲部分を有し、
前記第１突出部分と前記第１折曲部分とのなす角の角度は、前記第１側端と前記第２側端とのなす角の角度よりも大きいことを特徴とする請求項６又は７に記載のプリント回路板。
【請求項９】
前記電源導体パターンに電気的に接続された電極端子を有する第２電気素子を更に備え、
前記電源導体パターンは、前記第１側端に沿う方向に対して直交する方向において前記切欠の側とは反対側に配置され、前記第２電気素子の電極端子が接合される第２接合パッドを有していることを特徴とする請求項１乃至８のいずれか１項に記載のプリント回路板。
【請求項１０】
前記電源導体パターンには、前記第１スリットと同じ方向に延び、前記第１スリットに対し前記切欠の側とは反対側に第２スリットが形成されていることを特徴とする請求項４乃至８のいずれか１項に記載のプリント回路板。
【請求項１１】
前記電源導体パターンに電気的に接続された電極端子を有する第２電気素子を更に備え、
前記電源導体パターンは、前記第２スリットに対し前記第１スリットの側とは反対側に配置され、前記第２電気素子の電極端子が接合される第２接合パッドを有していることを特徴とする請求項１０に記載のプリント回路板。
【請求項１２】
前記第２スリットは、前記第２接合パッドに接触していることを特徴とする請求項１１に記載のプリント回路板。
【請求項１３】
前記第２スリットは、前記第２側端の延長線よりも前記被電力供給部側に突出する第２突出部分を有することを特徴とする請求項１０乃至１２のいずれか１項に記載のプリント回路板。
【請求項１４】
前記電源導体パターンには、前記第１スリットと同じ方向に延び、前記第１スリットに対し前記切欠の側とは反対側に第２スリットが形成されており、
前記第２スリットは、前記第２側端の延長線よりも前記被電力供給部側に突出する第２突出部分を有し、
前記第２突出部分は、前記第１突出部分よりも長く形成されていることを特徴とする請求項６乃至８のいずれか１項に記載のプリント回路板。
【請求項１５】
前記電源導体パターンに電気的に接続された電極端子を有する第２電気素子を更に備え、
前記電源導体パターンには、前記第１スリットと同じ方向に延び、前記第１スリットに対し前記切欠の側とは反対側に第２スリットと、前記第２スリットに対し前記第１スリットの側とは反対側に配置され、前記第２電気素子の電極端子が接合される第２接合パッドとが形成されており、
前記第２突出部分は、前記電源導体パターンにおける前記第１側端に沿う方向に対して直交する方向の幅から、前記第２接合パッドにおける前記第１側端に沿う方向に対して直交する方向の幅を引いた長さよりも短く形成されていることを特徴とする請求項１４に記載のプリント回路板。
【請求項１６】
前記第２スリットは、前記第２接合パッドに接触していることを特徴とする請求項１５に記載のプリント回路板。
【請求項１７】
前記第２スリットは、前記第２突出部分における前記電気経路の下流端から延び、前記第２側端に近づく方向に折曲する第２折曲部分を有し、
前記第２突出部分と前記第２折曲部分とのなす角の角度は、前記第１側端と前記第２側端とのなす角の角度よりも大きいことを特徴とする請求項１３乃至１６のいずれか１項に記載のプリント回路板。
【発明の詳細な説明】
【技術分野】
【０００１】
本発明は、プリント配線板と、プリント配線板に実装された電力供給部及び被電力供給部とを有し、被電力供給部にプリント配線板の電源導体パターンを介して電力を供給するプリント回路板に関する。
【背景技術】
【０００２】
電子機器に搭載されるプリント回路板は、電子機器のサイズに起因して、面積の制約を受けて設計が行われる。プリント回路板は、プリント配線板と、プリント配線板に実装された被電力供給部としての半導体集積回路（ＬＳＩ：Large  Scale  Integration）とを有する。限られた面積のプリント配線板に多くの配線を形成し、多くの部品を搭載するために、ＬＳＩに電力を供給するための電源導体パターンを、９０度に折れ曲がって形成されていることが一般的である。
【０００３】
近年、ＬＳＩの消費電力が増大してきており、電源導体パターンを流れる電流が増加する傾向にある。この際に折れ曲がって配線された屈曲部の内側に電流が集中し、電源導体パターンが発熱する。この熱によって、電源導体パターンが断線し、電子機器が誤動作する可能性があった。そのため、特許文献１では、電源導体パターンの屈曲部の内側にフィレットを設け、電流経路の角度を鈍角化することにより、電流集中を緩和しようとしていた。
【先行技術文献】
【特許文献】
【０００４】
【特許文献１】特開平１１−３４０５９１号公報
【発明の概要】
【発明が解決しようとする課題】
【０００５】
しかしながら、前記特許文献１のようにフィレットを設けた場合であっても、電源導体パターンの側端において角部は存在するため、この部分に電流が集中することは避けらず、電流集中を緩和する効果が低かった。
【０００６】
屈曲部の内側に相当する側端は、屈曲部からみて電力供給部側の第１側端と、被電力供給部側の第２側端とからなっている。本発明は、電源導体パターンの第１側端と第２側端との交点に電流が集中するのを効果的に抑制することができるプリント回路板を提供する。
【課題を解決するための手段】
【０００７】
本発明のプリント回路板は、電力供給部と、前記電力供給部から電力が供給される被電力供給部と、表面に前記電力供給部及び前記被電力供給部が実装され、前記電力供給部と前記被電力供給部とを電気的に接続する電源導体パターンを有するプリント配線板と、前記表面に実装され、前記電源導体パターンに一方の電極端子が電気的に接続された第１電気素子と、を備え、前記電源導体パターンは、前記電力供給部と前記被電力供給部の途中に屈曲部を有しており、前記電源導体パターンの前記屈曲部の内側に相当する側端は、前記屈曲部からみて前記電力供給部側の第１側端と、前記被電力供給部側の第２側端とからなっており、前記第１側端には切欠が形成されており、前記第１電気素子の一方の電極端子は、前記切欠を跨いで前記電源導体パターンに接合されていることを特徴とする。
【発明の効果】
【０００８】
本発明によれば、第１電気素子の一方の電極端子を切欠に跨って接合したので、電極端子を経由する経路には直流電流が流れにくくなり、屈曲部の内側に電流が集中するのを効果的に抑制することができる。
【図面の簡単な説明】
【０００９】
【図１】第１実施形態に係るプリント回路板の概略構成を示す説明図である。
【図２】第２実施形態に係るプリント回路板の要部を示す部分平面図である。
【図３】第３実施形態に係るプリント回路板の要部を示す部分平面図である。
【図４】第４実施形態に係るプリント回路板の要部を示す部分平面図である。
【図５】比較例のプリント回路板の要部を示す部分平面図である。
【発明を実施するための形態】
【００１０】
以下、本発明を実施するための形態を、図面を参照しながら詳細に説明する。
【００１１】
［第１実施形態］
図１は、本発明の第１実施形態に係るプリント回路板の概略構成を示す説明図である。図１（ａ）は、プリント回路板を示す平面図、図１（ｂ）は、図１（ａ）に示すプリント回路板の一部分（領域Ｒの部分）を示す部分平面図である。
【００１２】
図１（ａ）で示すように、プリント回路板１００は、プリント配線板２００と、電力供給部である電源回路３００と、被電力供給部である半導体装置としてのＬＳＩ４００と、を備えている。更に、プリント回路板１００は、第１電気素子であるチップ素子であるコンデンサ５００（図１（ｂ））を備えている。電源回路３００、ＬＳＩ４００及びコンデンサ５００は、プリント配線板２００の表面に実装されている。
【００１３】
電源回路３００は、直流電圧を出力するものである。ＬＳＩ４００は、直流電圧が印加されて動作するものである。このＬＳＩ４００の動作の際に、直流電流がＬＳＩ４００に引き込まれる。
【００１４】
プリント配線板２００は、表層に配置され、電源回路３００の電源端子とＬＳＩ４００の電源端子とを電気的に接続する帯状の電源導体パターン２０１を有している。また、プリント配線板２００は、表層に配置され、電源回路３００のグラウンド端子とＬＳＩ４００のグラウンド端子とを電気的に接続するグラウンド導体パターン２０２（図１（ｂ））を有している。
【００１５】
導体パターン２０１，２０２上には、導体パターン２０１，２０２を保護するための不図示のレジストが形成されている。電源回路３００は、ＬＳＩ４００に電源導体パターン２０１を介して直流電圧を印加して直流電流を供給することで、電力を供給する。つまり、ＬＳＩ４００は、電源導体パターン２０１を介して電源回路３００より電力が供給されることで動作する。なお、電源導体パターン２０１は表層に配線されているが、多層基板等の場合は内層又は裏側の表層に配線してもよい。
【００１６】
電源導体パターン２０１は、電源回路３００とＬＳＩ４００の途中に屈曲部Ｒａを有する。第１実施形態では、電源導体パターン２０１は、９０度折れ曲がって形成されている。図１（ａ）に示す領域Ｒは、電源導体パターン２０１の屈曲部Ｒａを含む領域である。この屈曲部Ｒａは、電源導体パターン２０１において、電気経路Ｌの方向が変更される部分である。
【００１７】
図１（ｂ）に示すように、コンデンサ５００は、直方体形状に形成され、直方体の長手方向の両端に形成された一対の電極端子５０１，５０２を有している。そして、コンデンサ５００の一方の電極端子５０１が電源導体パターン２０１に電気的に接続され、他方の電極端子５０２がグラウンド導体パターン２０２に電気的に接続されている。
【００１８】
電源導体パターン２０１の、屈曲部Ｒａの内側Ｐに相当する側端は、屈曲部Ｒａからみて電力供給部側である電源回路３００側の第１側端２１１と、被電力供給部側であるＬＳＩ４００側の第２側端２１２とからなる。即ち、屈曲部Ｒａの内側Ｐは、側端２１１，２１２の間にあり、第１実施形態では、側端２１１，２１２が交差する角部（交差点）である。これら側端２１１，１２１は、屈曲部Ｒａの内側Ｐにつながる側端であり、内側Ｐの両側に配置されている。そして、側端２１１と側端２１２とのなす導体外側の角度θが、１８０度よりも小さい角度となるように電源導体パターン２０１が形成されている。第１実施形態では、角度θを９０度としている。なお、本発明における屈曲部Ｒａの内側Ｐは、Ｒ形状を有していない場合（点）に限定するものではなく、製造上の理由で形成される５０μｍ以下のＲ形状を有している場合（領域）であっても良い。
【００１９】
電源導体パターン２０１には、側端２１１及び側端２１２のうち、電気経路Ｌの上流側に位置する側端２１１に切欠２３０が形成されている。ここで、図１（ｂ）に示す矢印Ｙ方向は、側端２１１に沿う方向であり、矢印Ｘ方向は、側端２１１に沿う方向に対して直交する方向である。切欠２３０の矢印Ｙ方向の幅は、コンデンサ５００の矢印Ｙ方向の幅よりも小さい。また、切欠２３０の矢印Ｘ方向の幅は、コンデンサ５００の電極端子５０１の矢印Ｘ方向の幅以上である。
【００２０】
電源導体パターン２０１は、切欠２３０の矢印Ｙ方向の両側に配置された一対の第１接合パッドであるパッド２２１１，２２１２を有している。なお、グラウンド導体パターン２０２は、矢印Ｘ方向でパッド２２１１，２２１２及び切欠２３０に対向して配置された接合パッドであるパッド２２２を有している。これらパッド２２１１，２２１２及びパッド２２２は、矩形状に形成されている。ここで、パッド２２１１，２２１２は、電源導体パターン２０１上の不図示のレジストを部分的に剥離することで露出させた導体部分である。同様に、パッド２２２は、グラウンド導体パターン２０２上の不図示のレジストを部分的に剥離することで露出させた導体部分である。
【００２１】
パッド２２１１，２２１２には、コンデンサ５００の電極端子５０１がはんだ等で接合され、パッド２２２には、コンデンサ５００の電極端子５０２がはんだ等で接合されている。このように、コンデンサ５００の電極端子５０１は、切欠２３０を跨いで電源導体パターン２０１のパッド２２１１，２２１２に接合されている。
【００２２】
ここで、コンデンサ５００の電極端子５０１は、電気経路Ｌに沿う方向（即ちここでは矢印Ｙ方向）の単位長さ当たりの電気抵抗値が電源導体パターン２０１よりも高いものを用いている。
【００２３】
以上、コンデンサ５００の電極端子５０１を、切欠２３０を跨いで電源導体パターン２０１に接合したので、側端２１１近傍を流れる直流電流は、コンデンサ５００の電極端子５０１を流れることとなる。しかし、電極端子５０１の一部がはんだ等で電源導体パターン２０１に接合されるので、電源導体パターン２０１をそのまま流れる経路よりも電極端子５０１を経由する経路の方が電気抵抗値が高い。したがって、電極端子５０１を経由する経路には直流電流が流れにくく、電気経路Ｌに沿って流れる電流を、矢印Ｘ方向において側端２１１とは反対側に分散させることができ、屈曲部Ｒａの内側Ｐに電流が集中するのを効果的に抑制することができる。
【００２４】
また、コンデンサ５００の電極端子５０１の電気抵抗値は、電源導体パターン２０１よりも高いため、電気経路Ｌに沿って流れる電流を、矢印Ｘ方向において側端２１１とは反対側に分散させることができる。つまり、電気経路Ｌに流れる電流を矢印Ｘ方向に分散させることができる。したがって、屈曲部Ｒａの内側（角部）Ｐに電流が集中するのを効果的に抑制することができる。
【００２５】
［第２実施形態］
次に、本発明の第２実施形態に係るプリント回路板について説明する。図２は、本発明の第２実施形態に係るプリント回路板の要部を示す部分平面図である。なお、第２実施形態において、前記第１実施形態と同様の構成については、同一符号を付して説明を省略する。
【００２６】
図２は、プリント回路板において、図１（ａ）の領域Ｒの部分を示している。第２実施形態では、前記第１実施形態の構成に加え、前記第１実施形態の電源導体パターン２０１に対応する電源導体パターン２０１Ａに、第１スリットであるスリット２３１を更に形成したものである。スリット２３１は、矢印Ｘ方向において切欠２３０に対向し、電気経路Ｌに沿って延びるように形成されている。スリット２３１における電気経路Ｌの上流端は、切欠２３０における電気経路Ｌの上流端と矢印Ｙ方向において同一の位置であるのが好ましい。
【００２７】
第２実施形態では、スリット２３１は、切欠２３０及びパッド２２１２に接触するように形成されており、スリット２３１と切欠２３０とが連通している。
【００２８】
スリット２３１は、スリット本体部分２３１ａと、スリット本体部分２３１ａにおける電気経路Ｌの下流端から屈曲部Ｒａの内側（角部）Ｐよりも電気経路Ｌの下流側に突出する第１突出部分である突出部分２３１ｂと、を有している。この突出部分２３１ｂは、スリット２３１において、電源導体パターン２０１Ａにおいて電気経路Ｌの方向が変更される屈曲部Ｒａに含まれる部分である。即ち、突出部分２３１ｂは、側端２１２の延長線Ａよりも被電力供給部側であるＬＳＩ４００側に突出する部分である。スリット２３１は直線状に形成されている。突出部分２３１ｂの矢印Ｙ方向の長さＬ１は、０より長く、パッド２２１１，２２１２における矢印Ｘ方向の幅Ｗ１よりも短い。
【００２９】
以上、第２実施形態によれば、前記第１実施形態と同様、コンデンサ５００の電極端子５０１を、切欠２３０を跨いで電源導体パターン２０１Ａに接合したので、屈曲部Ｒａの内側Ｐに電流が集中するのを抑制することができる。
【００３０】
更に、第２実施形態によれば、電源導体パターン２０１Ａには、スリット２３１が形成されているので、電気経路Ｌが矢印Ｘ方向で分断され、より効果的に屈曲部Ｒａの内側Ｐに電流が集中するのを抑制することができる。
【００３１】
また、スリット２３１が切欠２３０と連結（接続）しているので、電源導体パターン２０１Ａにおいて切欠２３０とスリット２３１との間を抜ける電流が無く、更に効果的に屈曲部Ｒａの内側Ｐに電流が集中するのを抑制することができる。
【００３２】
また、スリット２３１が突出部分２３１ｂを有するので、スリット２３１に対し切欠２３０の側の経路とは反対側の経路に沿って流れた電流が、屈曲部Ｒａの内側Ｐに向かうのを効果的に抑制することができる。そのため、更に効果的に屈曲部Ｒａの内側Ｐに電流が集中するのを抑制することができる。また、屈曲部Ｒａよりも電気経路Ｌの上流側において電源導体パターン２０１Ａの幅方向に分散させた電流が、屈曲部Ｒａを通過した後に、屈曲部Ｒａよりも電気経路Ｌの下流側において幅方向に分散した状態を維持しながら流れる。したがって、より効果的に屈曲部Ｒａの内側Ｐに電流が集中するのを抑制することができる。
【００３３】
また、突出部分２３１ｂの長さＬ１がパッド２２１１，２２１２の幅Ｗ１よりも短いので、スリット２３１に対して切欠２３０とは反対側へ分散し、屈曲部Ｒａ電流経路の配線幅を確保することができ、電流の集中を緩和することができる。
【００３４】
また、突出部分２３１ｂの長さＬ１がパッド２２１１，２２１２の幅Ｗ１よりも短いので、スリット２３１に対して切欠２３０とは反対側へ分散して屈曲部Ｒａの下流側に流れた電流の経路の幅を確保することができ、電流の集中を緩和することができる。
【００３５】
以上の構成から、前記第１実施形態のプリント回路板の効果に加え、更に屈曲部Ｒａの内側Ｐに電流が集中するのを緩和することが可能となる。
【００３６】
［第３実施形態］
次に、本発明の第３実施形態に係るプリント回路板について説明する。図３は、本発明の第３実施形態に係るプリント回路板の要部を示す部分平面図である。なお、第３実施形態において、前記第１、第２実施形態と同様の構成については、同一符号を付して説明を省略する。
【００３７】
図３は、プリント回路板において、図１（ａ）の領域Ｒの部分を示している。第３実施形態では、前記第２実施形態の構成に加え、前記第２実施形態の電源導体パターン２０１Ａに対応する電源導体パターン２０１Ｂに、第２スリットであるスリット２３２を更に形成したものである。更にまた、プリント回路板が、電源導体パターン２０１Ｂに電気的に接続された電極端子６０１を有する第２電気素子としてのチップ素子であるコンデンサ６００を更に備えている。
【００３８】
電源導体パターン２０１Ｂは、矢印Ｘ方向において切欠２３０の側とは反対側に配置され、コンデンサ６００の一方の電極端子６０１が接合される第２接合パッドであるパッド２２３を有している。なお、不図示の他方の電極端子は、グラウンドに電気的に接続されている。ここで、パッド２２３は、電源導体パターン２０１Ｂ上の不図示のレジストを部分的に剥離することで露出させた導体部分である。
【００３９】
電源導体パターン２０１Ｂに形成されたスリット２３２は、スリット２３１と同じ方向に延び、スリット２３１に対し切欠２３０の側とは反対側にスリット２３１と間隔をあけて配置されている。スリット２３１とスリット２３２とは交差しなければよく、平行に配置されていればなお好適である。また、スリット２３２における電気経路Ｌの上流端は、切欠２３０における電気経路Ｌの上流端と矢印Ｙ方向において同一の位置であるのが好ましい。
【００４０】
パッド２２３は、電源導体パターン２０１Ｂにおいて、スリット２３２に対しスリット２３１の側とは反対側に配置されている。即ち、パッド２２３は、側端２１１とは反対側の第３側端である側端２１３の側に配置されている。第３実施形態では、側端２１１と側端２１３とは互いに平行である。
【００４１】
第３実施形態では、スリット２３２はパッド２２３に接触している。また、スリット２３２は、スリット本体部分２３２ａと、スリット本体部分２３２ａにおける電気経路Ｌの下流端から角部Ｐよりも電気経路Ｌの下流側に突出する第２突出部分である突出部分２３２ｂと、を有している。
【００４２】
突出部分２３２ｂは、屈曲部Ｒａに含まれる部分である。即ち、突出部分２３２ｂは、側端２１２の延長線Ａよりも被電力供給部側であるＬＳＩ４００側に突出する部分である。スリット２３２は、直線状に形成されている。突出部分２３２ｂの矢印Ｙ方向の長さＬ２は、突出部分２３１ｂの矢印Ｙ方向の長さＬ１よりも長い。また、突出部分２３２ｂの長さＬ２は、電源導体パターン２０１Ｂにおける矢印Ｘ方向の幅から、パッド２２３における矢印Ｘ方向の幅Ｗ２を引いた長さよりも短い。
【００４３】
従って、第３実施形態によれば、パッド２２３にコンデンサ６００の電極端子６０１が接合されているので、電極端子６０１とパッド２２３との並列効果により、この部分の電気抵抗値が低くなる。そのため、この部分において電流が流れやすくなり、電気経路Ｌに沿って流れる電流を、矢印Ｘ方向において側端２１１とは反対側（側端２１３の近傍）に効果的に分散させることができる。よって、より効果的に屈曲部Ｒａの内側（角部）Ｐに電流が集中するのを抑制することができる。
【００４４】
また、電源導体パターン２０１Ｂには、スリット２３２が形成されているので、電気経路Ｌが矢印Ｘ方向で分断され、より効果的に屈曲部Ｒａの内側Ｐに電流が集中するのを抑制することができる。
【００４５】
また、スリット２３２がパッド２２３に接触しているので、パッド２２３側に効果的に電流を分散させることができ、更に効果的に屈曲部Ｒａの内側Ｐに電流が集中するのを抑制することができる。
【００４６】
また、スリット２３２が突出部分２３２ｂを有するので、スリット２３２に対しスリット２３１の側の経路とは反対側の経路に沿って流れた電流が、屈曲部Ｒａの内側Ｐに向かうのを効果的に抑制することができる。そのため、更に効果的に屈曲部Ｒａの内側Ｐに電流が集中するのを抑制することができる。
【００４７】
また、突出部分２３２ｂの長さＬ２が突出部分２３１ｂの長さＬ１よりも長い。したがって、屈曲部Ｒａよりも電気経路Ｌの上流側において電源導体パターン２０１Ａの幅方向に分散させた電流が、屈曲部Ｒａを通過した後に、屈曲部Ｒａよりも電気経路Ｌの下流側において幅方向に分散した状態を維持しながら流れる。そのため、電極端子６０１側をスリット２３２に沿って流れた電流が、スリット２３１における電気経路Ｌの下流端に到達するのを抑制することができ、更に屈曲部Ｒａの内側Ｐに電流が集中を緩和することができる。
【００４８】
また、突出部分２３２ｂの長さＬ２が、電源導体パターン２０１Ｂの幅からパッド２２３の幅Ｗ２を引いた長さよりも長いので、配線幅が狭まり、スリット２３２の電気経路Ｌの下流端に電流が集中する。
【００４９】
以上の構成から、前記第２実施形態のプリント回路板の効果に加え、更に屈曲部Ｒａの内側Ｐに電流が集中するのを緩和することが可能となる。
【００５０】
［第４実施形態］
次に、本発明の第４実施形態に係るプリント回路板について説明する。図４は、本発明の第４実施形態に係るプリント回路板の要部を示す部分平面図である。なお、第４実施形態において、前記第１〜第３実施形態と同様の構成については、同一符号を付して説明を省略する。
【００５１】
図４は、プリント回路板において、図１（ａ）の領域Ｒの部分を示している。第４実施形態では、電源導体パターン２０１Ｃには、互いに間隔をあけて第１スリットであるスリット２３１Ｃと、第２スリットであるスリット２３２Ｃとが形成されている。各スリット２３１Ｃ，２３２Ｃにおける電気経路Ｌの下流端部は、折曲して形成されている。
【００５２】
スリット２３１Ｃは、前記第３実施形態と同様、スリット本体部分２３１ａ及び突出部分２３１ｂを有すると共に、突出部分２３１ｂにおける電気経路Ｌの下流端から延びる第１折曲部分としての折曲部分２３１ｃを有する。折曲部分２３１ｃは、突出部分２３１ｂに対し折曲角度θ１で、側端２１２に近づく方向に折曲する。
【００５３】
スリット２３２Ｃは、前記第３実施形態と同様、スリット本体部分２３２ａ及び突出部分２３２ｂを有すると共に、突出部分２３２ｂにおける電気経路Ｌの下流端から延びる第２折曲部分としての折曲部分２３２ｃを有する。折曲部分２３２ｃは、突出部分２３２ｂに対し折曲角度θ２で、側端２１２に近づく方向に折曲する。これら折曲部分２３１ｃ，２３２ｃは、直線状に延びて形成されている。スリット２３１Ｃ，２３２Ｃにおける電気経路Ｌの上流端は、矢印Ｙ方向において、切欠２３０における電気経路Ｌの上流端と同一の位置に揃えられている。
【００５４】
ここで、突出部分２３１ｂと折曲部分２３１ｃとのなす角の角度（１８０度−θ１）は、側端２１１と側端２１２とのなす角の角度θよりも大きい。また、突出部分２３２ｂと折曲部分２３２ｃとのなす角の角度（１８０度−θ２）は、側端２１１と側端２１２とのなす角の角度θよりも大きい。
【００５５】
第４実施形態では、角度θ１と角度θ２とは互いに等しい。つまり、角度（１８０度−θ１）と角度（１８０度−θ２）とは互いに等しい。
【００５６】
なお、第４実施形態では、角度θが９０度であるので、角度（１８０度−θ１），（１８０度−θ２）は、０度より大きくかつ９０度よりも小さいのが好ましい。つまり、折曲角度θ１，θ２は、９０度より大きくかつ１８０度よりも小さいのが好ましい。
【００５７】
以上、第４実施形態によれば、突出部分２３１ｂの下流端と突出部分２３２ｂの下流端を流れる電流経路の角度を鈍角化して、電流集中を緩和することができる。
【００５８】
以上の構成から、前記第３実施形態のプリント回路板の効果に加え、更に屈曲部Ｒａの内側Ｐに電流が集中するのを緩和することが可能となる。
【００５９】
［実施例］
次に、本実施例として前記第４実施形態のプリント回路板（図４）と、比較例のプリント回路板（図５）を用いて、シミュレーションを行うことによって、本実施例の電流集中の緩和効果を説明する。
【００６０】
図４に示す前記第４実施形態のプリント回路板において、本実施例は、電源導体パターン２０１Ｃに流れる電流、つまりＬＳＩ４００の消費電流を２．４［Ａ］とした。また、電源導体パターン２０１Ｃの幅を２．４［ｍｍ］、厚みを０．０３５［ｍｍ］、導電率を５．９１×１０７［Ｓ／ｍ］とした。なお、ＬＳＩ４００と電源回路３００を結ぶマンハッタン長は２０［ｍｍ］であった。
【００６１】
また、コンデンサ５００，６００の大きさは、長手方向の長さが１．６［ｍｍ］、短手方向の長さが０．８［ｍｍ］の１６０８サイズであり、電極端子の電気抵抗値は実測により求めた３［ｍΩ］とした。
【００６２】
切欠２３０の幅を０．８［ｍｍ］、屈曲部Ｒａ内に存在するスリット２３１Ｃの突出部分２３１ｂの幅を０．０５［ｍｍ］、長さを０．１［ｍｍ］とした。また、屈曲部Ｒａ内に存在するスリット２３２Ｃの突出部分２３２ｂの幅を０．０５［ｍｍ］とし、長さを０．４［ｍｍ］とした。
【００６３】
スリット２３１Ｃ，２３２Ｃの折曲部分２３１ｃ，２３２ｃは、各々、電流経路方向に突出部分２３１ｂ，２３２ｂに対して４５°の折曲角度で折曲して設けた。折曲部分２３１ｃ，２３２ｃの幅を０．０５［ｍｍ］とし、折曲部分２３１ｃの長さを０．１［ｍｍ］、折曲部分２３２ｃの長さを０．４［ｍｍ］とした。以下の表１に詳細な解析条件を示す。
【００６４】
【表１】
2015023133.tif 000003
【００６５】
図５は、比較例のプリント回路板の要部を示す部分平面図である。この図５に示すプリント回路板は、本発明の第４実施形態のスリット２３１，２３２を設けない構造である。即ち、電源導体パターン２０１Ｘには、図４に示すパッド２２１１，２２１２とは異なり、一体のパッド２２１が形成されており、パッド２２１にコンデンサ５００の電極端子５０１が接合されている。
【００６６】
以上の構成より、実施例と比較例の電流密度の最大値をＳｉｇｒｉｔｙ社のＰｏｗｅｒＤＣを用いて解析した結果を表２に示す。
【００６７】
【表２】
2015023133.tif 000004
【００６８】
表２で示されているように、比較例の電流密度の最大値は６０［Ａ／ｍｍ２］、実施例の電流密度の最大値は４５［Ａ／ｍｍ２］となり、電流集中を緩和できている。
【００６９】
なお、本発明は、以上説明した実施形態に限定されるものではなく、多くの変形が本発明の技術的思想内で当分野において通常の知識を有する者により可能である。
【００７０】
前記第１〜第４実施形態では、電力供給部が電源回路３００である場合について説明したが、これに限定するものではない。プリント回路板１００の外部から電源が供給される場合は、外部電源に接続されるケーブルが接続可能なコネクタ等の部品であってもよい。同様に、被電力供給部が半導体装置であるＬＳＩの場合について説明したが、これに限定するものではなく、他のプリント配線板等に搭載された半導体装置等に接続されるケーブルが接続可能なコネクタ等の部品であってもよい。
【００７１】
また、前記第１〜第４実施形態では、角度θを９０度とした場合について説明したが、本発明は９０度に限定するものではなく、角度θは、１８０度未満であれば、何度でも構わない。ただし本発明の効果を有効に発揮するためには、角度θが７０度以上１１０度以下、より好ましくは８０度以上１００度が好適である。角度θが１１０度よりも大きいと屈曲部の内側に電流が集中という課題は大きくなく、また７０度よりも小さいと、コンデンサ５００を配置する屈曲部Ｒａの内側Ｐの近傍の領域が限られてしまう。
【００７２】
また、前記第３、第４実施形態では、電源導体パターン２０１Ｂ，２０１Ｃにスリット２３１，２３２，２３１Ｃ，２３２Ｃが形成されている場合について説明したが、スリット２３１，２３２，２３１Ｃ，２３２Ｃがない場合であってもよい。この場合であっても、パッド２２３にコンデンサ６００の電極端子６０１が接合されているので、並列効果によりその部分の電気抵抗値が低下するので、電流の分散効果により、屈曲部Ｒａの内側Ｐへの電流の集中を抑制することができる。
【００７３】
また、前記第３、第４実施形態において、電源導体パターン２０１Ｂ，２０１Ｃの第２スリットであるスリット２３２，２３２Ｃを省略してもよい。また、前記第３実施形態において、スリット２３１又はスリット２３２を、前記第４実施形態のスリット２３１Ｃ又はスリット２３２Ｃのように構成してもよい。
【００７４】
また、前記第３、第４実施形態において、スリット２３１，２３２間、スリット２３１Ｃ，２３２Ｃ間に別のスリットが形成されていてもよい。また、スリット２３２，２３２Ｃに対して側端２１３の側に更に別のスリットが形成されていてもよい。
【００７５】
また、前記第３、第４実施形態では、電源導体パターンにコンデンサ６００が接合される場合について説明したが、コンデンサ６００を接合するのを省略してもよい。
【００７６】
また、前記第１〜第４実施形態では、第１及び第２電気素子がコンデンサである場合について説明したが、これに限定するものではなく、コイル素子や抵抗素子等であってもよい。また、各電気素子の他方の電極端子が、グラウンドではなく、別の導体に接続されていてもよい。例えば、各電気素子がフィルタ回路やスナバ回路の一部を構成する場合には、別の電気素子に直列接続されることになる。
【００７７】
また、前記第１〜第４実施形態では、電源導体パターンがＬ字形状に屈曲する場合について説明したが、これに限定するものではない。例えば電源導体パターンがＴ字形状やＹ字形状に分岐する場合についても適用可能である。この場合、屈曲部は、電源導体パターンの分岐部分となる。
【符号の説明】
【００７８】
１００…プリント回路板、２００…プリント配線板、２０１…電源導体パターン、２１１…側端（第１側端）、２１２…側端（第２側端）、２３０…切欠、３００…電源回路（電力供給部）、４００…ＬＳＩ（被電力供給部）、５００…コンデンサ（第１電気素子）、５０１…電極端子（一方の電極端子）
【図１】
2015023133.tif 000005
【図２】
2015023133.tif 000006
【図３】
2015023133.tif 000007
【図４】
2015023133.tif 000008
【図５】
2015023133.tif 000009